(57)【特許請求の範囲】
【請求項１】
送付すべきＩＣカードに所要の情報を書き込むためのエンコーダと、
前記所要の情報が書き込まれたＩＣカードを所定の経路に沿って搬送するための搬送部と、
前記経路に沿って搬送されるＩＣカードから情報を読み取るためのリーダーと、
前記ＩＣカードから読み取った情報に基づいて、前記ＩＣカードとともに送付すべき封入物を前記経路上に供給して前記ＩＣカードに重ね合わせるための封入物供給部とを備え、
前記封入物供給部は、
固定情報が印刷された第１固定封入物を前記経路上に供給して前記ＩＣカードに重ね合わせるための第１固定封入物供給部と、
前記第１固定封入物と異なる固定情報が印刷された第２固定封入物を前記経路上に供給して前記ＩＣカードに重ね合わせるための第２固定封入物供給部と、
前記ＩＣカードから読み取った情報に基づいて、前記第１固定封入物供給部および前記第２固定封入物供給部の供給動作を制御するための制御部とを有することを特徴とする、ＩＣカード送付用封書の封入物処理システム。
【請求項２】
送付すべきＩＣカードに所要の情報を書き込むためのエンコーダと、
前記所要の情報が書き込まれたＩＣカードを所定の経路に沿って搬送するための搬送部と、
前記経路に沿って搬送されるＩＣカードから情報を読み取るためのリーダーと、
前記ＩＣカードから読み取った情報に基づいて、前記ＩＣカードとともに送付すべき封入物を前記経路上に供給して前記ＩＣカードに重ね合わせるための封入物供給部とを備え、
前記封入物供給部は、
前記ＩＣカードから読み取った情報に基づいて、前記ＩＣカードを送付すべき送付先に固有の可変情報を印刷し、印刷された可変封入物を前記経路上に供給して前記ＩＣカードに重ね合わせるための可変封入物供給部を有することを特徴とする、ＩＣカード送付用封書の封入物処理システム。
【請求項３】
前記封入物供給部は、
固定情報が印刷された第１固定封入物を前記経路上に供給して前記ＩＣカードに重ね合わせるための第１固定封入物供給部と、
前記第１固定封入物と異なる固定情報が印刷された第２固定封入物を前記経路上に供給して前記ＩＣカードに重ね合わせるための第２固定封入物供給部と、
前記ＩＣカードから読み取った情報に基づいて、前記第１固定封入物供給部および前記第２固定封入物供給部の供給動作を制御するための制御部とを有することを特徴とする請求項２に記載のシステム。
【発明の詳細な説明】
【０００１】
【発明の属する技術分野】
本発明は、ＩＣカード送付用封書の封入物処理システムおよび方法に関し、特にＩＣカードを送付するための封書に同封すべき封入物の処理に関するものである。
【０００２】
【従来の技術】
近年、社員用、学生用、会員用などのＩＤカードとして、セキュリティの面からＩＣカードを利用することが提案されている。この場合、所要の情報が書き込まれたＩＣカードが、送付状を構成するカード台紙に取り付けられ、様々な封入物とともに封筒に封入封緘されて発送される。
【０００３】
【発明が解決しようとする課題】
従来、ＩＣカードを送付すべき送付先に関する情報を含んだバーコードをカード台紙に印刷し、このバーコードから読み取った情報をキーとして封入情報データを参照し、ＩＣカード送付用の封書に同封すべき封入物の処理を行っている。その結果、従来のシステムでは、オンラインで（ネットワークや他のコンピュータなどに接続した状態で）封入情報データを参照しながら封入物の処理を行う必要があった。
【０００４】
本発明は、前述の課題に鑑みてなされたものであり、オフラインで（ネットワークや他のコンピュータなどに接続していない状態で）ＩＣカード送付用の封書に同封すべき封入物の処理を行うことのできる、ＩＣカード送付用封書の封入物処理システムおよび方法を提供することを目的とする。
【０００５】
【課題を解決するための手段】
前記課題を解決するために、本発明の第１発明では、送付すべきＩＣカードに所要の情報を書き込むためのエンコーダと、
前記所要の情報が書き込まれたＩＣカードを所定の経路に沿って搬送するための搬送部と、
前記経路に沿って搬送されるＩＣカードから情報を読み取るためのリーダーと、
前記ＩＣカードから読み取った情報に基づいて、前記ＩＣカードとともに送付すべき封入物を前記経路上に供給して前記ＩＣカードに重ね合わせるための封入物供給部とを備え、
前記封入物供給部は、
固定情報が印刷された第１固定封入物を前記経路上に供給して前記ＩＣカードに重ね合わせるための第１固定封入物供給部と、
前記第１固定封入物と異なる固定情報が印刷された第２固定封入物を前記経路上に供給して前記ＩＣカードに重ね合わせるための第２固定封入物供給部と、
前記ＩＣカードから読み取った情報に基づいて、前記第１固定封入物供給部および前記第２固定封入物供給部の供給動作を制御するための制御部とを有することを特徴とする、ＩＣカード送付用封書の封入物処理システムを提供する。
【０００６】
本発明の第２発明では、送付すべきＩＣカードに所要の情報を書き込むためのエンコーダと、
前記所要の情報が書き込まれたＩＣカードを所定の経路に沿って搬送するための搬送部と、
前記経路に沿って搬送されるＩＣカードから情報を読み取るためのリーダーと、
前記ＩＣカードから読み取った情報に基づいて、前記ＩＣカードとともに送付すべき封入物を前記経路上に供給して前記ＩＣカードに重ね合わせるための封入物供給部とを備え、
前記封入物供給部は、
前記ＩＣカードから読み取った情報に基づいて、前記ＩＣカードを送付すべき送付先に固有の可変情報を印刷し、印刷された可変封入物を前記経路上に供給して前記ＩＣカードに重ね合わせるための可変封入物供給部を有することを特徴とする、ＩＣカード送付用封書の封入物処理システムを提供する。
【０００７】
第２発明の好ましい態様によれば、前記封入物供給部は、
固定情報が印刷された第１固定封入物を前記経路上に供給して前記ＩＣカードに重ね合わせるための第１固定封入物供給部と、
前記第１固定封入物と異なる固定情報が印刷された第２固定封入物を前記経路上に供給して前記ＩＣカードに重ね合わせるための第２固定封入物供給部と、
前記ＩＣカードから読み取った情報に基づいて、前記第１固定封入物供給部および前記第２固定封入物供給部の供給動作を制御するための制御部とを有する。
【００１０】
【発明の実施の形態】
本発明では、送付すべきＩＣカードに所要の情報（送付先に関する情報、封入物に関する情報など）を書き込み、所要の情報が書き込まれたＩＣカードを所定の経路に沿って搬送する。そして、搬送されるＩＣカードから読み取った情報に基づいて、ＩＣカードとともに送付すべき封入物を経路上に供給して、ＩＣカードに重ね合わせる。したがって、本発明では、ネットワークや他のコンピュータなどに接続していない状態で、すなわちオフラインで、ＩＣカード送付用の封書に同封すべき封入物の処理を行うことができる。
【００１１】
本発明の実施形態を、添付図面に基づいて説明する。
図１は、本発明の実施形態にかかる封入物処理システムのうち、ＩＣカードに所要の情報を書き込むとともにカード台紙に所要の情報を印刷する部分の構成を概略的に示す図である。また、図２は、本実施形態にかかる封入物処理システムのうち、所定の経路に沿って搬送されるＩＣカードに対して封入物を選択的に重ね合わせる部分の構成を概略的に示す図である。なお、本実施形態では、会員カードとしてのＩＣカードの送付用封書に同封すべき様々な封入物処理に対して本発明を適用している。
【００１２】
本実施形態のシステムは、図１に示すように、エンコーダプリンタ１を備えている。エンコーダプリンタ１は、送付すべきＩＣカード２のメモリ部に所要の情報を書き込むためのエンコーダとしての機能と、会員カード送付状を構成するカード台紙３に所要の情報を印刷するためのプリンタとしての機能とを併せ持っている。エンコーダプリンタ１はコンピュータ４に接続され、コンピュータ４はＩＣカード２に書き込むべき所要の情報および必要に応じてカード台紙３に印刷すべき所要の情報を含むデータベース５にアクセス可能に構成されている。
【００１３】
ここで、ＩＣカード２に書き込むべき所要の情報は、送付先に関する情報（各会員の氏名、住所など）と、ＩＣカード２の送付用封書に同封すべき封入物に関する情報とを含んでいる。所要の情報が書き込まれたＩＣカード２は、所要の情報が印刷されたカード台紙３とともに、エンコーダプリンタ１から出力される。
エンコーダプリンタ１から出力されたＩＣカード２は、必要に応じてカード台紙３に取り付けられる。
【００１４】
図３は、所要の情報が書き込まれたＩＣカードが取り付けられたカード台紙の構成を概略的に示す図である。図３に示すように、カード台紙３には、一対の折り曲げ用ミシン目３ａおよび３ｂが形成されている。そして、第１ミシン目３ａと第２ミシン目３ｂとの間の中央部分には、斜めに形成された一対の切込み３ｃおよび３ｄを利用して、ＩＣカード２が取り付けられている。なお、ＩＣカード２のカード台紙３への取り付けに際して、切込み以外の他の適当な手段を利用することもできる。
【００１５】
再び図１を参照すると、ＩＣカード２が取り付けられたカード台紙３は、一対の折り曲げ用ミシン目３ａおよび３ｂに沿って三つ折され、次の処理のためにスタックされる（積み重ねられる）。ここで、ＩＣカード２のカード台紙３への取り付け、ＩＣカード２が取り付けられたカード台紙３の三つ折り、および三つ折りされたカード台紙３のスタックを、それぞれ手作業で行うことができる。
【００１６】
しかしながら、ＩＣカード２への情報の書込みおよびカード台紙３への情報の印刷から、カード台紙３の三つ折り、および三つ折りされたカード台紙３のスタックまでの工程を、エンコードプリンタを用いて自動的に処理することもできる。この場合、ＩＣカード２をカード台紙３に取り付けることなく、三つ折りされたカード台紙３の中にＩＣカード２を単に収容してもよい。
【００１７】
また、本実施形態のシステムは、図２に示すように、スタックされた多数のカード台紙３から所定の経路２０に沿って順次搬送される各カード台紙３に取り付けられた各ＩＣカード２（図２では不図示）から情報を読み取るためのリーダー１１を備えている。ここで、各カード台紙３を経路に沿って搬送するための搬送部２１として、無端ベルトコンベアなどを利用した周知の搬送ユニットを用いることができる。リーダー１１で読み取られた情報は、制御部１０に供給される。
【００１８】
制御部１０では、リーダー１１から供給された情報に基づいて、可変封入物供給部１２に印刷・供給指令を出力し、第１固定封入物供給部１３〜第３固定封入物供給部１５に供給指令を出力する。可変封入物供給部１２では、制御部１０からの印刷・供給指令に基づいて、ＩＣカード２を送付すべき会員（送付先）に固有の可変情報を所定の用紙に印刷する。ここで、固有の可変情報とは、たとえば各会員に対する個人情報（購入履歴に関する情報など）を含むメッセージである。
【００１９】
可変封入物供給部１２は、こうして可変情報が随時印刷された可変封入物６を必要に応じて折り畳んだ後、搬送経路２０上に供給してカード台紙３に（ひいてはＩＣカード２に）可変封入物６を重ね合わせる。互いに重ね合わされた可変封入物６とカード台紙３とは、搬送経路２０に沿って第１固定封入物供給部１３〜第３固定封入物供給部１５へ順次搬送される。
【００２０】
ここで、第１固定封入物供給部１３は、制御部１０からの供給指令に基づいて、固定情報が印刷された第１固定封入物（たとえば全会員あるいは特定の複数の会員に対する共通情報が印刷されたチラシなど）７を必要に応じて折り畳んだ後、搬送経路２０上に供給してカード台紙３に第１固定封入物７を重ね合わせる。
【００２１】
また、第２固定封入物供給部１４は、制御部１０からの供給指令に基づいて、第１固定封入物７とは異なる固定情報が印刷された第２固定封入物（たとえば全会員あるいは特定の複数の会員に対する共通情報が印刷されたチラシなど）８を必要に応じて折り畳んだ後、搬送経路２０上に供給してカード台紙３に第２固定封入物８を重ね合わせる。
【００２２】
さらに、第３固定封入物供給部１５は、制御部１０からの供給指令に基づいて、第１固定封入物７および第２固定封入物８とは異なる固定情報が印刷された第３固定封入物（たとえば全会員あるいは特定の複数の会員に対する共通情報が印刷されたチラシなど）９を必要に応じて折り畳んだ後、搬送経路２０上に供給してカード台紙３に第３固定封入物９を重ね合わせる。
【００２３】
なお、図２では、ＩＣカード２が取り付けられたカード台紙３に、可変封入物６、第１固定封入物７、第２固定封入物８および第３固定封入物９が重ね合わされた状態を示しているが、各封入物６〜９はＩＣカード２から読み取られた封入物情報に基づいて選択的に搬送経路２０上に供給され、カード台紙３に重ね合わされる。換言すると、制御部１０は、ＩＣカード２から読み取られた封入物情報に基づいて、可変封入物供給部１２、第１固定封入物供給部１３〜第３固定封入物供給部１５に選択的に指令を出力する。
【００２４】
こうして、各会員に固有の情報が随時印刷された可変封入物６と、各会員に選択的に送付すべき固定封入物７〜９とが、各会員に送付すべきＩＣカード２の取り付けられたカード台紙３に重ね合わされた状態で（すなわち名寄せされた状態で）、搬送経路２０を介して図示を省略した封入封緘装置へ搬送される。封入封緘装置では、互いに重ね合わされたＩＣカード２付きのカード台紙３と封入物６〜９とを所定の封筒に封入し封緘する。
【００２５】
以上のように、本実施形態では、所要の情報（送付先に関する情報、封入物に関する情報など）が書き込まれ且つ所定の経路２０に沿って搬送されるＩＣカード２から読み取った情報に基づいて、ＩＣカード２とともに送付すべき封入物６〜９を選択的に経路上に供給して、ＩＣカード２に重ね合わせる。その結果、本実施形態では、ネットワークや他のコンピュータなどに接続していない状態で、すなわちオフラインで、ＩＣカード送付用の封書に同封すべき封入物の処理を行うことができる。
【００２６】
なお、上述の実施形態では、ＩＣカード２とともに送付状としてのカード台紙３を所定の経路２０に沿って搬送しているが、これに限定されることなく、カード台紙３の使用を省略することができる。換言すると、ＩＣカード２だけを経路２０に沿って搬送し、ＩＣカード２から読み取った情報に基づいて、ＩＣカード送付用の封書に同封すべき封入物の処理を行うこともできる。
【００２７】
また、上述の実施形態では、１つの可変封入物供給部と３つの固定封入物供給部とを搬送経路２０に沿って配置しているが、その数および配置についてはこれに限定されることなく、様々な変形例が可能である。
【００２８】
さらに、上述の実施形態では、会員カードとしてのＩＣカードを各会員に送付する例に本発明を適用しているが、これに限定されることなく、一般的なＩＣカードの送付のための封書の作成に本発明を適用することができる。なお、本発明において、ＩＣカードとは、ＩＣラベルやＩＣタグなどと呼称される、一般の非接触型ＩＣモジュール部材を広く含む概念である。
【００２９】
【発明の効果】
以上説明したように、本発明では、オフラインで（ネットワークや他のコンピュータなどに接続していない状態で）ＩＣカード送付用の封書に同封すべき封入物の処理を行うことのできる、ＩＣカード送付用封書の封入物処理システムおよび方法を実現することができる。
【図面の簡単な説明】
【図１】本発明の実施形態にかかる封入物処理システムのうち、ＩＣカードに所要の情報を書き込むとともにカード台紙に所要の情報を印刷する部分の構成を概略的に示す図である。
【図２】本実施形態にかかる封入物処理システムのうち、所定の経路に沿って搬送されるＩＣカードに対して封入物を選択的に重ね合わせる部分の構成を概略的に示す図である。
【図３】所要の情報が書き込まれたＩＣカードが取り付けられたカード台紙の構成を概略的に示す図である。
【符号の説明】
１  エンコーダプリンタ
２  ＩＣカード
３  カード台紙
４  コンピュータ
１０    制御部
１１    リーダー
１２    可変封入物供給部
１３    第１固定封入物供給部
１４    第２固定封入物供給部
１５    第３固定封入物供給部
２０    搬送経路
２１    搬送部
【図１】
0004650980.tif 000002
【図２】
0004650980.tif 000003
【図３】
0004650980.tif 000004